(57)【特許請求の範囲】
【請求項１】
小口径管推進機のスクリュコンベア内における排土の閉塞解除方法において、前記スクリュコンベア内で土砂の閉塞が起こった時、スクリュコンベアのケーシング後方を塞いだ後、前記ケーシング後方からケーシング内に流体を送ることを特徴とする小口径管推進機における排土の閉塞解除方法。
【請求項２】
請求項１において、前記ケーシング後方からケーシング内に流体を送りながら、スクリュを回転させることを特徴とする小口径管推進機における排土の閉塞解除方法。
【発明の詳細な説明】
【０００１】
【発明の属する技術分野】
本発明は小口径管推進機における排土の閉塞解除方法及び装置に関し、特にスクリュコンベア内における土砂の閉塞部に、水を供給して土砂の閉塞を解除するようにした小口径管推進機における排土の閉塞解除方法及び装置に関する。
【０００２】
【従来の技術】
小口径管推進機における排土の閉塞解除方法及び装置の従来技術について、図３により説明する。
小口径管推進機の先導管１は、Ｌ1 の長さを有する前部先導管１ａと、その後部に連続する、Ｌ2 の長さを有する後部先導管１ｂとからなり、これら前部先導管１ａと後部先導管１ｂとは球面軸受１ｃを介して揺動自在に連結されると共に、前部先導管１ａと後部先導管１ｂとには揺動ジャッキ４が装着されている。
前部先導管１ａの前端部には軸受２によりカッタヘッド３が回転自在に支持されている。前部先導管１ａ及び後部先導管１ｂの中心部にはスクリューコンベア６が貫通しており、後部先導管１ｂの中程に位置するスクリューコンベア６の外周にはピンチ弁７が設置されている。
【０００３】
前記スクリュコンベア６は羽根６ａと軸６ｂとからなるスクリュ６ｃと、スクリュ６ｃを収納するケーシング６ｄとからなる。スクリュ６ｃの前端はカッタヘッド３に連結され、スクリュ６ｃの後端は発進立坑８内に設置された推進装置９上を前後に移動可能なスクリュ駆動装置１０を構成する、駆動モータ１０ａにより駆動される減速機１０ｂに連結されている。掘削された土砂は、スクリュコンベア６のケーシング６ｄ後端部の排土口１１から発進立坑８内に排出される。スクリューコンベア６の前端部はカッタヘッド３後面に形成されたチャンバ１２に開口している。
発進立坑８内に設置された推進装置９の推進ジャッキ１５前端は、押具１６を介して埋設管５に推進力を付与する。埋設管５前端により後部先導管１ｂ後端に推進力を付与することにより、先導管１に推進力を付与している。
発進立坑５内に位置するスクリュ６ｃ後端部には添加材供給口１７が形成され、スクリュ６ｃの軸６ｂ内の図示しない添加材通路を介して、先導管１先端部に設置された添加材吐出口１８から地山及びチャンバ１２内に供給される。
【０００４】
前記構成による作用について説明する。
カッタヘッド３で掘削されたずりはチャンバ１２に取り込まれ、スクリュコンベヤ６によりピンチ弁７を介して発進立坑８内まで搬送される。
ピンチ弁７を絞ることにより、カッタヘッド３前方の地山の崩落、または地下水圧によりスクリュコンベヤ６を通過して発進立坑５内に土砂が噴出するのを防止している。ピンチ弁７が絞られている状態では水はピンチ弁７を通過して発進立坑８内に流れる。そのためピンチ弁７前部に土砂が固結することがしばしば発生し、その度にスクリュ６ｃを正・逆転させて土砂の固結により発生するスクリュコンベヤ６の閉塞を解除していた。
【０００５】
【発明が解決しようとする課題】
しかしながら、前記各従来技術の構成においては以下のような問題点がある。
（１）スクリュコンベヤ６が閉塞する度にスクリュ６ｃを正・逆転させて土砂の固結により発生するスクリュコンベヤ６の閉塞を解除するために、多くの時間が必要となり、推進作業能率の低下を招いていた。
（２）スクリュコンベヤ６前端部の添加剤吐出口１８から添加剤を供給しても、閉塞の発生し易いピンチ弁７周辺まで添加剤が到達し難く、このため閉塞を解除するために多くの時間が必要であり推進作業能率の低下を招いていた。
（３）前記（１）、（２）の方法では閉塞の解除が不可能な場合には、新たに立坑を掘削して、スクリュコンベヤ６を分解して閉塞を解除するしかなく、そのためには莫大な施工工数と費用が必要であった。
【０００６】
本発明は前記の問題点に着目してなされたもので、スクリュコンベヤ６内の土砂の閉塞部に効率よく水を供給して、容易に土砂の閉塞を解除可能な小口径管推進機における排土の閉塞解除方法及び装置を提供することを目的とする。
【０００７】
【課題を解決するための手段および作用・効果】
上記の目的を達成するために、本願第１の発明に係る小口径管推進機における排土の閉塞解除方法は、小口径管推進機のスクリュコンベア６内における排土の閉塞解除方法において、前記スクリュコンベア内で土砂の閉塞が起こった時、スクリュコンベア６のケーシング６ｄ後方を塞いだ後、前記ケーシング６ｄ後方からケーシング６ｄ内に流体を送ることを特徴とする。
【０００８】
第１の発明によれば、スクリュコンベア６内で土砂の閉塞が起こった時には、閉塞部以降はスクリュコンベア６内の羽根６ａの回転により、土砂は殆ど搬送され排土されている。このことを利用してスクリュコンベア６のケーシング６ｄ後方を塞いで、ケーシング６ｄ後方からケーシング６ｄ内に流体を送ると、閉塞部の土砂は流体を含みほぐれるためケーシング６ｄ内の閉塞が解除される。
従ってケーシング６ｄ内における土砂の閉塞を解除する作業が容易になり、閉塞を解除する作業時間が低減するため、小口径管推進機の推進作業能率が向上し、工期を短縮できる。
【０００９】
本願第２の発明に係る小口径管推進機における排土の閉塞解除方法は、第１の発明おいて、前記ケーシング６ｄ後方からケーシング６ｄ内に流体を送りながら、スクリュ６ｃを回転させることを特徴とする。
【００１０】
第２の発明によれば、第１の発明おいて、スクリュコンベヤ６内の閉塞部の土砂が流体を含んだ状態で、スクリュ６ｃを正転又は逆転、あるいは正・逆転させて閉塞部の土砂と流体とを混合し易くすると共に、衝撃等によりスクリュコンベヤ６内に付着した土砂を剥がすため閉塞の解除が更に容易になる。
従ってケーシング６ｄ内における土砂の閉塞を解除する作業が更に容易になり、閉塞を解除する作業時間が一段と低減するため、小口径管推進機の推進作業能率が大幅に向上し、工期を一層短縮できる。
【００１５】
【発明の実施の形態】
以下に、本発明に係る小口径管推進機における排土の閉塞解除装置に関する一実施例について、図１及び図２の図面を参照して詳述する。
図１は本発明に係る小口径管推進機における排土の閉塞解除装置の一実施例を示す、図２のＰ部拡大図、図２は本発明に係る小口径管推進機における排土の閉塞解除装置の一実施例を示す図である。
以下の説明において前記従来の技術と同様な部材には同一符号を付し、その説明を省略する。
【００１６】
スクリュコンベア６のケーシング６ｄの後端には、キャップ手段２０の前端部２０ａが連結され、ケーシング６ｄと前端部２０ａ間はシール２１によりシールされている。キャップ手段２０にはスクリュコンベア６のケーシング６ｄ内に水を供給するための流体供給手段２２が設置されている。キャップ手段２０の側壁に形成された嵌合穴２０ｂには、中間軸手段２３の軸外径部２３ａが貫通しており、これら嵌合穴２０ｂと軸外径部２３ａ間はシール手段２４によりシールされている。
なお本実施例では中間軸手段２３がキャップ手段２０の側壁を貫通しているが、これに限らずキャップ手段２０は中間軸手段２３と駆動軸２５との連結を解除して、中間軸手段２３を全て覆うように構成にしてもよい。また流体供給手段２２をキャップ手段２０に設置しているが、これに限らずスクリュコンベア６のケーシング６ｄに設置してもよい。
【００１７】
スクリュ６ｃ後端部に形成された六角軸６ｅは、中間軸手段２３に形成された六角穴２３ｂに嵌合されており、六角軸６ｅに形成されたボルト穴６ｇと、これと同様な図示しない六角穴２３ｂのボルト穴には二点鎖線で示す連結ボルト２８と同様な連結ボルトが貫通して連結されている。スクリュ６ｃの六角軸６ｅ後部の嵌合軸６ｆは、中間軸手段２３に形成された嵌合穴２３ｃに嵌合されており、これら嵌合軸６ｆと嵌合穴２３ｃとはシール２９によりシールされている。
【００１８】
中間軸手段２３後端部に形成された六角軸２３ｄは、駆動軸２５に形成された六角穴２５ａに嵌合されており、六角軸２３ｄに形成されたボルト穴２３ｅと、これと同様な図示しない六角穴２５ａのボルト穴には二点鎖線で示す連結ボルト２８が貫通して連結されている。中間軸手段２３の六角軸２３ｄ前部の嵌合軸２３ｆは、駆動軸２５に形成された嵌合穴２５ｂに嵌合されており、これら嵌合軸２３ｆと嵌合穴２５ｂとはシール２７によりシールされている。
【００１９】
中間軸手段２３の中心部には、駆動軸２５の中心部に形成された添加材通路２５ｃに連通する添加材通路２３ｇが形成されている。駆動軸２５は連結ボルト２６により図２に示す減速機１０ｂの出力軸に結合される。
なお図１では図面を分かり易くするために押具１６を省略してある。また図１では埋設管５を発進立坑８の前壁まで推進した状態を示しているが、埋設管５の位置に関係なくスクリュコンベア６の閉塞が生じた任意の位置でも同様である。
【００２０】
前記構成による作用について説明する。
小口径管推進機により推進中に、スクリュコンベア６内に土砂が閉塞してスクリュ６ｃの駆動トルクが増大すると、図２に示すようにキャップ手段２０が装着できる長さだけ、スクリュ駆動装置１０を推進ジャッキ１５により後退させる。その状態でスクリュコンベア６のケーシング６ｄの後端に、キャップ手段２０の前端部２０ａを連結し、スクリュ６ｃの六角軸６ｅに中間軸手段２３の六角穴２３ｂを嵌合させて、これらスクリュ６ｃと中間軸手段２３とを図示しない連結ボルトにより連結する。
【００２１】
次に、図２に示すようにブラケット１３を介して推進ジャッキ１５とスクリュ駆動装置１０とに装着された小径ジャッキ１４を伸長することにより、中間軸手段２３の六角軸２３ｄに駆動軸２５の六角穴２５ａを嵌合するために必要な長さだけ、推進装置９に対してスクリュ駆動装置１０を後退させる。そして中間軸手段２３の六角軸２３ｄに駆動軸２５の六角穴２５ａを嵌合した後、これら中間軸手段２３と駆動軸２５とを連結ボルト２８により締め付ける。
【００２２】
以上のように中間軸手段２３を介して、スクリュ６ｃを駆動軸２５に連結した後、流体供給手段２２によりスクリュコンベア６のケーシング６ｄ内に矢印Ｓ方向に流体を送ると、ケーシング６ｄ内に閉塞した土砂に流体が含まれてほぐれ、閉塞が解除され易くなる。この状態でも閉塞が解除されない場合には、スクリュ駆動装置１０により中間軸手段２３を介して、スクリュ６ｃを正転又は逆転、あるいは正・逆転させて閉塞部の土砂と流体とを混合すると土砂の閉塞が容易に解除される。このとき図２に示す添加材供給口１７から供給される添加材は、添加材通路２５ｃ及び２３ｇを経由して、スクリュ６ｃの中心部に形成された図示しない添加材通路から、先導管１先端部の添加材吐出口１８から地山及びチャンバ１２に供給される。なお、流体は通常水を用いるがこれに限定されないことは勿論である。
【００２３】
スクリュ駆動装置１０の駆動トルクにより閉塞が解除されたことを確認すると、前記取着時の工程と逆の工程により、流体供給手段２２と中間軸手段２３を取外して、駆動軸２５の嵌合穴２５ａにスクリュ６ｃの嵌合軸６ｅを直接連結して通常の推進作業を施工する。
【００２４】
また図示を省略するが他の実施例として、土砂の閉塞が比較的ゆるやかな場合では前記実施例の中間軸手段２３と、キャップ手段２０の側壁に形成された嵌合穴２０ｂとを省略した構成により、流体供給手段２２からケーシング６ｄ内に給水するだけで土砂の閉塞を解除することができる。
【図面の簡単な説明】
【図１】本発明に係る小口径管推進機における排土の閉塞解除装置の一実施例を示す図で、図２のＰ部拡大図である。
【図２】本発明に係る小口径管推進機における排土の閉塞解除装置の一実施例を示す図である。
【図３】従来技術に係る小口径管推進機における排土の閉塞解除装置を示す図である。
【符号の説明】
１…先導管、１ａ…前部先導管、１ｂ…後部先導管、１ｃ…球面軸受、２…軸受、３…カッタヘッド、４…揺動ジャッキ、５…埋設管、６…スクリューコンベア、６ａ…羽根、６ｂ…軸、６ｃ…スクリュ、６ｄ…ケーシング、６ｅ、２３ｄ…六角軸、６ｆ、２３ｆ…嵌合軸、６ｇ、２３ｅ…ボルト穴、７…ピンチ弁、８…発進立坑、９…推進装置、１０…スクリュ駆動装置、１０ａ…駆動モータ、１０ｂ…減速機、１１…排土口、１２…チャンバ、１３…ブラケット、１４…小径ジャッキ、１５…推進ジャッキ、１６…押具、１７…添加材供給口、１８…添加材吐出口、２０…キャップ手段、２０ａ…前端、２０ｂ、２３ｃ、２５ｂ…嵌合穴、２１，２５，２７…シール、２２…流体供給手段、２３…中間軸手段、２３ａ…軸外径部、２３ｂ、２５ａ…六角穴、２３ｇ，２５ｃ…添加材通路、２４…シール手段、２５…駆動軸、２６，２８…連結ボルト。
【図１】
0003821250.tif 000002
【図２】
0003821250.tif 000003
【図３】
0003821250.tif 000004